(57)【要約】本発明は、本体と、ねじ込みベースと、保持用ねじと、ねじ込みヘッドと、保持用シャフトとを備えた骨内単独歯インプラント用の挿入キット及び骨内単独歯インプラント及びアバットメントに関する。【選択図】図１
2018515254.tif 000002
【特許請求の範囲】
【請求項１】
−  顎骨に取り入れた孔の中に挿入することができ、確動ロックセクション（２０）を備える環状凹部（１６）と、前記環状凹部（１６）に対して同軸になるように配置された孔（１２）とを備え、保持用ねじを取り付けるためのねじ切り（１４）を歯根尖側に備える概ね円筒形の本体（１０）と、
−  前記本体（１０）の前記環状凹部（１６）に挿入することができ、確動ロックセクション（４６）を備えるねじ込みベース（４０）であって、保持用ねじ（６０）を収容するために、前記環状凹部（１６）に対して同軸になるように前記ねじ込みベース（４０）内を貫通する孔（４２）を備える、前記ねじ込みベース（４０）と、
−  歯根尖側の外側のねじ切り（６２）と、歯冠側のねじヘッド（６６）とを備え、前記ねじ込みベースの前記孔（４２）の中に挿入され、前記本体（１０）の前記ねじ切り（１４）にねじ込むことができる保持用ねじ（６０）と、
−  前記ねじ込みベース（４０）と係合させることができ、前記環状凹部（１６）に対して同軸になるように配置された孔（８２）と、その前記歯冠側の端部において、好ましくは外側の多角形（９２）の形態で、ねじ込み工具用の突起を備えるねじ込みヘッド（８０）と、
−  前記ねじ込みヘッド（８０）の前記孔（８２）に挿入することができ、一端で前記保持用ねじ（６０）に固定することができ、他端には歯科用アングルピースのための突起を備える保持用シャフト（１１０）と、を備え、
前記本体（１０）の前記確動ロックセクション（２０）と、前記ねじ込みベース（４０）の前記確動ロックセクション（４６）が、前記ねじ込みベース（４０）を前記本体（１０）に挿入する際、互いに係合するようにされる互いに相補的なねじ込み要素（３０；４８）を備え、
前記ねじ込みベース（４０）と、前記本体（１０）が、前記互いに相補的なねじ込み要素の係合位置において、互いに対して回転式に固定されるようにして取り付けられ、
前記本体（１０）及び前記ねじ込みベース（４０）にある前記互いに相補的なねじ込み要素が、内側縁部と外側縁部の対、ピンと凹部の対及びモールス・テーパとモールス・コーンの対から選択された、それぞれ相補的なねじ込み要素の対として設計される、固定式の義歯のための骨内単独歯インプラント用の挿入キット。
【請求項２】
−  顎骨に取り入れた孔の中に挿入することができ、確動ロックセクション（２０）を備える環状凹部（１６）と、前記環状凹部（１６）に対して同軸になるように配置された孔（１２）とを備え、保持用ねじを取り付けるためのねじ切り（１４）を歯根尖側に備える概ね円筒形の本体（１０）と、
−  前記本体（１０）の前記環状凹部（１６）に挿入することができ、保持用ねじ（６０）を収容するために、前記環状凹部（１６）に対して同軸になるようにねじ込みベース（４０）内を貫通する孔（４２）を備える、前記ねじ込みベース（４０）と、
−  歯根尖側の外側のねじ切り（６２）と、歯冠側のねじヘッド（６６）とを備え、前記ねじ込みベース（４０）の前記孔（４２）の中に挿入され、前記本体（１０）の前記ねじ切り（１４）にねじ込むことができる保持用ねじ（６０）と、
−前記ねじ込みベース（４０）と係合させることができ、前記環状凹部（１６）に対して同軸になるように配置された孔（８２）と、その前記歯冠側の端部において、好ましくは外側の多角形（９２）の形態で、ねじ込み工具用の配置場所を備えるねじ込みヘッド（８０）であって、前記ねじ込みベース（４０）と、ねじ込みヘッド（８０）が一体式のねじ込み本体（９８）として設計される、前記ねじ込みヘッド（８０）と、
−  前記ねじ込みヘッド（８０）の前記孔（８２）に挿入することができ、一端で前記保持用ねじ（６０）に固定することができ、他端には歯科用アングルピースのための配置場所を備える保持用シャフト（１００）と、を備え、
前記本体（１０）の前記確動ロックセクション（２０）と、前記ねじ込み本体（９８）の前記確動ロックセクション（１０２）が、前記ねじ込み本体（９８）を前記本体（１０）に挿入する際、互いに係合するようにされる互いに相補的なねじ込み要素（３０；１０６）を備え、
前記ねじ込みベース（４０）と、前記本体（１０）が、前記互いに相補的なねじ込み要素の係合位置において、互いに対して回転式に固定されるようにして取り付けられ、
前記本体（１０）及び前記ねじ込み本体（９８）にある前記互いに相補的なねじ込み要素が、内側縁部と外側縁部の対、ピンと凹部の対及びモールス・テーパとモールス・コーンの対から選択された、それぞれ相補的なねじ込み要素の対として設計される、固定式の義歯のための骨内単独歯インプラント用の挿入キット。
【請求項３】
前記本体（１０）の前記環状凹部（１６）が、歯根尖側のガイドセクション（１８）と、前記歯根尖側のガイドセクション（１８）に対して歯冠側に配置された確動ロックセクション（２０）と、前記確動ロックセクション（２０）に対して歯冠側に配置された歯冠側の端部セクション（２２）とを含み、
前記ねじ込みベース（４０）／前記ねじ込み本体（９８）が、歯根尖側のガイドセクション（４４／１００）と、確動ロックセクション（４６／１０２）と、歯冠側の端部セクション（５２／１０４）とを含み、これらが前記本体の前記対応するセクションに一致する、請求項１または２に記載の固定式の義歯のための骨内単独歯インプラント用の挿入キット。
【請求項４】
前記歯冠側の端部において、前記ねじ込みベース（４０）が、ねじ込み要素（５６）を備えた確動ロックセクションを備え、これは前記ねじ込みヘッド（８０）のねじ込み要素（８８）と一緒に係合するようにさせることができ、
前記ねじ込みベース（４０）及び前記ねじ込みヘッド（８０）は、前記互いに相補的なねじ込み要素の係合位置において回転式に固定されるようにして取り付けられ、
前記ねじ込みベース（４０）及び前記ねじ込みヘッド（８０）にある前記互いに相補的なねじ込み要素が、内側縁部と外側縁部の対、ピンと凹部の対及びモールス・テーパとモールス・コーンの対から選択された、それぞれ相補的なねじ込み要素の対として設計される、請求項１または３のいずれかに記載の固定式の義歯のための骨内単独歯インプラント用の挿入キット。
【請求項５】
前記保持用ねじ（６０）の前記ねじヘッド（６６）が、内側の多角形と、好ましくは前記内側の多角形の中に配置された内側のねじ切り（７２）とを備える、請求項１から４のいずれか一項に記載の固定式の義歯のための骨内単独歯インプラント用の挿入キット。
【請求項６】
前記保持用ねじ（６０）の前記ねじヘッド（６６）が、使用位置において前記ねじ込みベース（４０）に埋め込められる、請求項１から６のいずれか一項に記載の固定式の義歯のための骨内単独歯インプラント用の挿入キット。
【請求項７】
前記保持用ねじ（６０）と前記保持用シャフト（１１０）が一体式に形成される、請求項１から４のいずれか一項に記載の固定式の義歯のための骨内単独歯インプラント用の挿入キット。
【請求項８】
前記保持用シャフト（１１０）がツーピースとして形成される、請求項１から７のいずれか一項に記載の固定式の義歯のための骨内単独歯インプラント用の挿入キット。
【請求項９】
前記保持用シャフト（１１０）が、使用位置において、前記保持用シャフト（１１０）が、本体（１０）と、ねじ込みベース（４０）と、ねじ込みベース（８０）を、または本体（１０）とねじ込み本体（９８）を係合状態に保持する、請求項１から８のいずれか一項に記載の固定式の義歯のための骨内単独歯インプラント用の挿入キット。
【請求項１０】
本体（１０）及びねじ込みベース（４０）にある前記互いに相補的なねじ込み要素（３０；４８）と、ねじ込みベース（４０）及びねじ込みヘッド（８０）にある前記互いに相補的なねじ込み要素（５６；８８）と、本体（１０）及びねじ込み本体（９８）にある互いに相補的なねじ込み要素（３０；１０６）が、好ましくは円周方向に均等に離間されて配置される、内側縁部と外側縁部の対、ピンと凹部の対、及びモールス・テーパとモールス・コーンの対から選択されたそれぞれ２つから６つの形状が相補的なねじ込み要素の対（３０、４８;５６、８８;３０、１０６)として形成される、請求項１から９のいずれか一項に記載の固定式の義歯のための骨内単独歯インプラント用の挿入キット。
【請求項１１】
内側縁部と外側縁部の対、ピンと凹部の対及びモールス・テーパとモールス・コーンの対から選択され、かつ円周方向に隣接して配置された、２つの形状が相補的なねじ込み要素の対（３０、４８;５６、８８;３０、１０６)の間に少なくとも、確動ロック要素の対が、ばねウェブとスロットの結合部(２６、５０;２６、１０５;５５、９１)の形態で配置され、
少なくとも１つのスロット（５０；９１；１０５）の、前記本体の長手方向軸に対して同軸である少なくとも前記スロット縁部（５１；８９；１０８）が、少なくともねじ込み方向で、前記対応するばねウェブ（２６；５５）の、前記本体（１０）の長手方向軸に対して同軸である前記同軸のばねウェブの根元（３６；５７）と接触する、請求項１０に記載の固定式の義歯のための骨内単独歯インプラント用の挿入キット。
【請求項１２】
各ケースにおいて、２つの隣接するねじ込み要素の対（３０、４８;５６、８８;３０、１０６)の間に、確動ロック要素の対がばねウェブとスロットの結合部(２６、５０;２６、１０５;５５、９１)の形態で配置される、請求項１１に記載の固定式の義歯のための骨内単独歯インプラント用の挿入キット。
【請求項１３】
ばねウェブとスロットの結合部(２６、５０;２６、１０５;５５、９１)の形態の前記確動ロック要素の対が、前記本体を顎にねじ込むまたは顎から回して緩める際、前記ばねウェブとスロットの間に接触が生じることがなく、少なくとも１つのスロット(５０;９１;１０５)の、前記本体の前記長手方向軸に対して同軸である前記スロット縁部（５１;８９;１０８)のみが、回転方向において、前記対応するばねウェブ（２６；５５）の、前記本体（１０）の前記長手方向軸に対して同軸である前記ばねウェブの根元（３６;５７)と接触するやり方で、２つの隣接するねじ込み要素の対（３０、４８；５６、８８;３０、１０６)の間に配置される、請求項１１または１２に記載の固定式の義歯のための骨内単独歯インプラント用の挿入キット。
【請求項１４】
ばねウェブとスロットの結合部(２６、５０;２６、１０５;５５、９１)の形態の前記確動ロック要素の対が、前記本体の前記長手方向軸に対して同軸である前記スロット縁部（５１;８９;１０８)が、前記対応するばねウェブ（２６；５５）の、前記本体（１０）の前記長手方向軸に対して同軸である前記ばねウェブの根元（３６;５７)と接触するやり方で、２つの隣接するねじ込み要素の対（３０、４８；５６、８８;３０、１０６)の間に配置され、前記２つの接点の間で、ばねウェブとスロットが遊びを有するように離間される、請求項１１または１２に記載の固定式の義歯のための骨内単独歯インプラント用の挿入キット。
【請求項１５】
本体（１０）、ねじ込みベース（４０）、ねじ込みヘッド（８０）またはねじ込み本体（９８）の少なくとも１つの外側に、少なくとも１つのねじ込み要素の位置及び／または少なくとも１つの確動ロック要素の対の位置を示す、少なくとも１つの指標マーキング（１０９）が在る、及び／または、ねじ込みヘッドまたはねじ込み本体の外側に少なくとも１つのスキャンボディマーキング（９７）が在る、先行請求項のいずれか一項に記載の固定式の義歯のための骨内単独歯インプラント用の挿入キット。
【請求項１６】
−  概ね円筒形の本体（１０）であって、顎骨に取り入れた孔の中に挿入することができ、環状凹部（１６）と、確動ロックセクション（２０）と、その歯冠側の端部に向かって開放され、前記環状凹部（１６）に対して同軸になるように配置された孔（１２）とを備え、保持用ねじを取り付けるためのねじ切り（１４）を前記本体の歯根尖側の端部に備え、前記環状凹部（１６）が、ガイドセクション（１８）と、前記ガイドセクション（１８）に歯冠側で隣接する確動ロックセクション（２０）と、前記確動ロックセクション（２０）に歯冠側で隣接する端部セクション（２２）と、を含む、前記本体（１０）と、
−  前記本体の前記凹部（１６）に挿入することができ、ガイドセクション（１４４）と、確動ロックセクション（１４６）と、端部セクション（１４８）と、前記保持用ねじを収容するための孔と、歯を交換するための締結ヘッド（１５２）と、を備えるアバットメント（１４０）と、
−  前記アバットメント（１４０）及び前記本体（１０）の孔に挿入され、この孔の中を通過することができる保持用ねじ（１５４）と、を備え、
前記本体（１０）の前記確動ロックセクション（２０）と、前記アバットメント（１４０）の前記確動ロックセクション（１４６）が、２つから６つの相互に形状が相補的な確動ロック要素の対(２６;１４２)を、前記本体（１０）上で、前記本体の長手方向軸に対して同軸である半径方向内向きに向けられたばねウェブ（２６）と、前記アバットメント（１４０）にあるスロット面（１４１）と２つのスロット縁部（１４３）を備えた対応するスロット（１４２）の形態で、さねはぎ結合の様式で備えており、
前記本体（１０）の前記確動ロックセクション（２０）と、前記アバットメント（１４０）の前記確動ロックセクション（１４６）が、前記本体（１０）にある内側縁部面の形態と、前記アバットメント（１４０）にある対応する外側縁部面の形態で、２つから６つの互いに形状が相補的な内側縁部面と外側縁部面の対を備え、これらは各ケースにおいて、本体（１０）とアバットメント（１４０）内の前記確動ロック要素と好ましくは交互になるように周辺部に設計され、
前記アバットメント（１４０）を前記本体（１０）に挿入する際、前記本体（１０）にある前記内側縁部面（３０）と、前記アバットメント（１４０）にある対応する外側縁部面（１４５）が少なくとも部分的に接触する、固定式の義歯のための骨内単独歯インプラント用の挿入キット。
【請求項１７】
前記スロット（１４２）の、前記本体の前記長手方向軸に対して同軸である各々のスロット縁部（１４３）が、前記対応するばねウェブ（２６）の、前記本体の前記長手方向軸に対して同軸であるばね縁部の根元（３６）と接触する、請求項１６に記載の固定式の義歯のための骨内単独歯インプラント用の挿入キット。
【請求項１８】
前記アバットメント（１４０）を前記本体（１０）に挿入する際、前記本体（１０）にある各々のばねウェブ（２６）のウェブ側面（３８）と、前記アバットメント（１４０）にある前記スロット（１４２）の前記スロット面（１４１）が、少なくとも部分的に接触する、請求項１６または１７の記載の固定式の義歯のための骨内単独歯インプラント用の挿入キット。
【請求項１９】
ガイドセクション（１４４）と、確動ロックセクション（１４６）と、端部セクション（１４８）と、前記保持用ねじを収容するための孔と、歯を交換するための締結ヘッド（１５２）とを備える、請求項１６〜１８のいずれか一項に記載の固定式の義歯のための骨内単独歯インプラント用のアバットメント（１４０）であって、
−  前記アバットメント（１４０）の前記確動ロックセクション（１４６）内に、前記アバットメントの長手方向軸に対して同軸である、２つから６つ、詳細には３つのスロット（１４２）が配置され、これらはスロット面（１４１）と、スロット縁部（１４３）とを有し、前記本体（１０）にあるばねウェブ（２６）と共にさねはぎ結合を形成するように設計されており、
−  前記アバットメント（１４０）の前記確動ロックセクション（１４６）内に、２つから６つ、詳細には３つの外側縁部面（１４５）が配置され、これらは前記本体（１０）にある内側縁部面（３０）と共に内側縁部と外側縁部の対を形成するように設計されており、かつ各ケースにおいて前記アバットメント（１４０）にある前記スロット（１４２）と好ましくは交互になるように円周方向に形成され、
−  前記アバットメントの前記長手方向軸に対して同軸である各々のスロット縁部（１４３）が、使用位置において前記スロット縁部（１４３）が、前記対応するばねウェブ（２６）の、前記本体（１０）の前記長手方向軸に対して同軸であるばねウェブの根元（３６）と接触するように設計され、
−  前記アバットメント（１４０）を前記ベース本体（１０）に挿入する際、前記アバットメント（１４０）にある前記スロット面（１４１）と、前記本体（１０）にある前記対応するウェブの側面（３８）が少なくとも部分的に接触する、前記固定式の義歯のための骨内単独歯インプラント用のアバットメント。
【発明の詳細な説明】
【技術分野】
【０００１】
本発明は、クレーム１及び２の特徴、及びその発展形態を含む骨内単独歯インプラント用の挿入キットに関する。
【背景技術】
【０００２】
単独歯インプラントにおいて、ＤＥ４０２８８５５Ｃ２より知られ、かつＤＥ１９５０９７６２．９−３２の目的としても知られるように、回転に逆らうようなロック処理が行われるために、本体の環状凹部の底部における本体確動ロック（ｐｏｓｉｔｉｖｅ−ｌｏｃｋｉｎｇ）要素と、それに対して相補的なスペーサスリーブの確動ロック要素とが、スペーサスリーブのセンタリング用のカラーの頚部の前方縁部に設けられる。製造技術の観点から、そのような確動ロック要素は、もっぱら作成するのが相対的に難しい場合があり、さらに、スペーサスリーブを本体に対してセンタリングする、固定する及び取り付けるために環状凹部またはセンタリング用のカラーの深さ全体を利用することができないことが、一部の利用ケースでは特に有利とならない。
【０００３】
別の歯科用インプラントでは、ＤＥ３７３５３７８から提供されるように、ここでも本体の確動ロック要素が、その歯冠の前方縁部から特定の距離のところで本体の盲孔に配置されるために同様の問題が生じる。
【０００４】
ＤＥ４１２７８３９Ａ１は、インプラント本体を記載しており、その中央の管状凹部は、本体の歯冠側の前方端部に直接隣接する確動ロック要素を有し、この場合、確動ロック要素はスロットの形態で設計され、本体に挿入されるべき保持部は、それに対して相補的な形状を有する。別個のインプラントポストまたは保持用のねじはここでは設けられない。
【０００５】
ＤＥ１９５３４９７９Ｃ１は、単独歯インプラントを記載しており、本体の確動ロック要素は、その歯冠の前方端部に直接隣接するように配置され、それに対して相補的なアバットメントの確動ロック要素の対応する配置と設計を伴う。本体の環状凹部の深さ全体をアバットメントのセンタリング及びガイドに利用することが可能であるため、確動ロック要素の間隔取り及び成形の観点から言えば、より大きな設計の自由度を伴って、スペーサスリーブと本体の間の結合部の安定性が明らかに改善されるはずである。
【０００６】
全てのそのような歯のインプラントでは、最初に植え込むために骨を最適に準備することができるように、好ましくは計画された植え込み位置のみで骨が露出され、その工程の中で大抵の場合歯肉の切開部分（ｆｌａｐ)（粘膜骨膜または粘膜歯肉）が準備されるといったやり方で特定の規定として植え込みが行われる。骨の状態が条件を満たすものであり、かつ固定された歯肉組織の幅が十分に広い場合には、歯茎組織をこのように露出したり広げたりせず、歯茎組織の中に穴を開けることによって、歯茎を貫通する植え込み法において歯のインプラントをセットすることも可能である。特殊なドリルを使用してインプラント床が準備され、ドリル穿孔テンプレートを使用することで、インプラントの最適な配置及びアライメントのために人工器官にとって最適な位置及び正確なドリル穿孔方向を保証することができる。インプラントはその後、顎骨に正確に適合され、いわゆる初期の安定（最初の機械的な安定）は、オッセオインテグレーションの成功にとって最も重要な要因の１つである。
【０００７】
ここでインプラントのセット作業の中で、開放式の治療法による１回法と、閉鎖式の治療を伴う２回法の区別が行われる。インプラント（本体）は、露出させた骨レベルに対して製造元の指示において指摘されたレベルにセットされる。２回の処置の場合、形成された切開部分が本体の上端部より上で縫合され、例えば閉鎖ねじによって閉じられる。回復後、人工器官の処置を開始するための２回目の介入においてインプラントを露出させる。骨構築処置に関連付けられた植え込みにおいて、このような２ステップの処置は、外部の影響からの保護を提供する。
【０００８】
１回の処置では、インプラントは「開放された状態で」治癒する。これは、セット後のインプラントは、治癒する間、粘膜から突出することができ、かつ規定としてそれが一時的な歯冠または元の歯肉を支えることを意味している。インプラントの頭部は、このとき粘膜レベルより上にあることになり、インプラントを露出させるための介入は省かれる。
【０００９】
これら２つの処置は、通常はインプラント専門医によって取り入れられた孔にねじ込むことによって、本体が、患者の顎骨の中に取り込まれることを共有している。オッセオインテグレーションの後、次のステップにおいて、アバットメントが本体に挿入され、保持用ねじを利用して本体に固定される。規定として、クラウンがアバットメントに締結される。オッセオインテグレーションの段階は患者次第で数ヶ月も続く場合も多く、かつその過程において、成長が妨害されないようにするには、本体がインプラント学的な措置の最初のステップにおいて可能な限り無菌状態で植え込み箇所に取り込まれ、植え込み中も無菌状態を維持することが重要である。この目的のために、本体を顎に取り込む際、及び本体を閉鎖する前は特に、オッセオインテグレーションが妨害されないことを保証するために無菌状態のための特定の措置が必須である。
【発明の概要】
【発明が解決しようとする課題】
【００１０】
本発明の目的は、歯のインプラントを取り入れる際の取り扱いを改善すること、及びこれにより取り入れるための改善されたシステムを提供すること、及びそうする際に結果としてオッセオインテグレーションを改善することである。これにより感染のリスクを低下させることができ、病理学的な細菌が原因の崩壊の進行を阻止することができ、結果として、リモデリング過程が完了してから、顎の中でインプラントの最終的な強度が達成されるまで数ヶ月間続く場合のある成長過程を補助することができる。
【００１１】
本発明によると、この目的は、クレーム１及び２の特徴を組み合わせることによって、始めに言及したタイプの骨内単独歯インプラント用の挿入キットによって達成される。本発明の特定の実施形態は、補助的なクレーム及び従属クレームの主題である。
【課題を解決するための手段】
【００１２】
よって本発明は、固定式の義歯のための骨内単独歯インプラント用の挿入キットに関し、これは
−  顎骨に取り入れた孔の中に挿入することができ、環状凹部と、該環状凹部に対して同軸になるように配置された孔とを備え、保持用のねじを取り付けるためのねじ切りを歯根尖側に備える概ね円筒形の本体と、
−  本体の環状凹部に挿入することができ、保持用ねじを収容するために、環状凹部に対して同軸になるようにねじ込みベース内を貫通する孔を備えるねじ込みベースと、
−  歯根尖側の外側のねじ切りと、歯冠側のねじヘッドとを備え、ねじ込みベースの孔の中に挿入され、本体のねじ切りにねじ込むことができる保持用ねじと、
−  ねじ込みベースと係合させることができ、環状凹部に対して同軸になるように配置された孔を備えるねじ込みヘッドと、
−  ねじ込みヘッドの孔に挿入することができ、一端で保持用ねじに固定することができ、他端には歯科用アングルピースのための配置場所を備える保持用シャフトと、を備える。
【００１３】
本発明による挿入キットを使用する際、２回の治療法では、最初の外科手術段階において、インプラントのセット後、ねじ込みヘッドと、保持用シャフトを取り外し、ねじ込みベースが、例えば射出成形された閉鎖ねじによって閉鎖されるような方法で進めることが可能である。その後、粘膜−骨膜の切開部分／粘膜歯肉の切開部を利用して挿入領域が閉じられる。２回目の外科手術段階では、インプラントを覆う粘膜が開かれ、ねじ込みヘッドをねじ込むことができる。側面を備えたねじ込みヘッドの幾何学形状は、スキャンボディとしても好適である。
【００１４】
指示に応じて、歯の配置場所の真下でねじ込みヘッドを切り離すこともでき、例えばバイトプレートにおけるインプラントの位置に印を付けるために一時的なクラウンまたはバイトキャップを装着することができる。あるいはねじ込みヘッドにねじ込んだ後、印象キャップをその上に置くことで、閉鎖されたトレイ印象を形成することができる。開放したトレイ印象の場合、中に印象ポストをねじ込むことができる。
【００１５】
本体と、取り入れベース／本体の結合部は、いずれの場合でも十分にインプラント／骨が結合した後、ならびに上皮付着及び上皮下の結合組織の付着が形成された後初めて開放される。
【００１６】
本発明による挿入キットは、それが本体にねじ込むための割り出し（位置決め）要素と力伝達要素との分離を可能にするという点（これは従来技術ではこのような方式では実現されていない）、それがアングルピースヘッドからねじ込みヘッド／ねじ込み本体（一体式／ツーピースの）への、ならびにそこから本体にある力伝達要素への直接の力の伝達を可能にする点、かつその割り出し要素は、例えば、ばねウェブの形態であり、本体にある力伝達要素と接触しないため、アバットメントをその後に取り込むための最大限の精度が保証される点において特徴付けられる。この工程において、ねじ込みヘッド／ねじ込み本体（一体式／ツーピースの）を一時的なアバットメントとしても使用することができ、口腔内スキャナを利用して、及びそれに加えてＣＡＤ/ＣＡＭ技術によるデータのさらなる処理によって正確な印象（３Ｄ位置）が可能である。
【００１７】
本発明はまた、
−  顎骨に取り入れた孔の中に挿入することができ、環状凹部と、該環状凹部に対して同軸になるように配置された孔とを備え、保持用のねじを取り付けるためのねじ切りを歯根尖側に備える概ね円筒形の本体と、
−  本体の環状凹部に挿入することができ、保持用ねじを収容するために、環状凹部に対して同軸になるようにねじ込みベース内を貫通する孔を備えるねじ込みベースと、
−  歯根尖側の外側のねじ切りと、歯冠側のねじヘッドとを備える保持用ねじと、で構成され、保持用ねじをねじ込みベースの孔の中に挿入し、本体のねじ切りにねじ込むことができる、本発明による挿入キットのサブコンビネーションにも関する。
【００１８】
本体の環状凹部は、歯根尖側のガイドセクションと、確動ロックセクションと、歯冠側の端部セクションとを含むことができ、この場合ねじ込みベースは、歯根尖側のガイドセクションと、確動ロックセクションと、歯冠側の端部セクションとを備え、これらは、本体のこのようなセクションに対して形状が相補的になるように一致している。
【００１９】
本発明はさらに、本発明による挿入キットによって準備され、本体とアバットメントによって構成される骨内単独歯インプラントに関し、また単独歯インプラント内で使用される構成要素、すなわち本体とアバットメントにも関する。
【００２０】
本体の確動ロックセクション及びねじ込みベースの確動ロックセクションは、ねじ込みベースを本体に挿入する際、互いに嵌合するように作成された互いに形状が相補的なねじ込み要素を有し、この場合、互いに形状が相補的なねじ込み要素の係合位置において、ねじ込みベースと本体は、互いに対して回転式に固定されるように取り付けられるという利点がある。本発明に従って、ねじ込み要素が確動ロック要素と呼ばれる場合、前記ねじ込み要素はまた、要素の設計に応じて、摩擦式ロックまたは確動ロックと摩擦式ロックの結合部を生じさせることもできる。簡素化するために、確動ロックという用語が本発明の文脈では使用される。
【００２１】
加えて、歯冠側の端部において、ねじ込みベースは、ねじ込み要素を備えた確動ロックセクションを有することができ、このねじ込み要素は、ねじ込みヘッドのねじ込み要素と一緒に係合するように作成することができ、この場合、互いに形状が相補的なねじ込み要素の係合位置において、ねじ込みベースとねじ込みヘッドは互いに対して回転式に固定されるように取り付けられる。
【００２２】
骨内単独歯インプラント用の本発明による挿入キットの一実施形態において、ねじ込みベースとねじ込みヘッドはまた、共同でねじ込み本体と称される１つの部品を形成するように設計される場合もある。そのような一体式のねじ込み本体を備えた、本発明による挿入キットは、１回治療法のために使用することができるという利点がある。これにより、上皮下の結合組織の付着及び上皮付着の骨とインプラントの接合部を邪魔されずに形成することが可能になる。内部構造に滅菌状態を採り入れることによって、治療工程における滅菌を保証する。歯冠側の端部の真下のねじ込み本体またはねじ込みヘッドを、例えば円周方向の環状スロットのところで短くすること、及び歯肉用キャップによってねじ込みヘッド／ねじ込み本体にある孔を閉鎖することがここでは可能であるため、それぞれの顎の状況またはインプラント専門医の必要条件に適応させることが可能である。
【００２３】
本発明による、ねじ込みベースと本体を互いに対して固定するためのねじ込みベースとねじ込みヘッドのツーピース型の設計において、またはねじ込み本体と本体を互いに対して固定するための、併せてねじ込み本体と称されるねじ込みベースとねじ込みヘッドの一体式の設計において、歯根尖側の外側のねじ切りと、歯冠側のねじヘッドを備えた保持用ねじが設けられ、この場合、保持用ねじは、ねじ込みベースまたはねじ込み本体の孔に挿入され、歯根尖側の外側のねじ切りによって本体にある歯根尖側のねじ切りにねじ込むことができる。ここで、環状または円錐形に設計され得るねじヘッドの歯根尖側の端部を備えた保持用ねじが、ねじ込みベースまたはねじ込み本体の孔の環状または円錐形の内側の縁に接触するようになり、回転式に固定されるようにそれらを固定することができる。
【００２４】
ねじ込みヘッドをねじ込みベース上に固定するように配置することができる保持用シャフトまたは補助の保持用ねじを固定するために、ねじ込みベースまたはねじ込み本体を本体に対して固定させることができる保持用ねじのねじヘッドは、内側の多角形と、望ましくは内側の多角形の中に配置された内側のねじ切りと、を有することができ、その中に、保持用シャフトまたは補助の保持用ねじをねじ込むことができる。
【００２５】
ねじ込みベースとねじ込みヘッドのツーピース型の設計において、ねじ込みヘッドを配置するための平坦な前面を形成するために、保持用ねじのねじ込みヘッドを使用位置においてねじ込みベースに埋め込むことができる。ここで、ねじ込みヘッドとねじ込みベースの間に環状スロットを形成することができ、これはセンタリング及びガイドのためにねじ込みヘッドの特定の部分を収容することができる。
【００２６】
本発明によると、ねじ込みベース及びねじ込みヘッドの設計に応じて、保持用ねじ及び保持用シャフトは、１つの部品の形態で設計することができる。同一の方法において、保持用シャフトがツーピース型の形態で、とりわけ補助のまたは他の保持用ねじの形態で設計される場合もあり、これはねじ込みヘッドまたは短くなった保持用シャフトを固定するためにねじ込みベース上に配置することができ、これは顎が垂直方向にくびれた状態場合にとりわけ有利であり得る。
【００２７】
固定式の義歯のための骨内単独歯インプラント用の本発明による挿入キットの使用において、保持用シャフトは、使用位置において、それが、本体と、ねじ込みベースと、単独部品または２つの部品のねじ込みヘッドを、詳細には互いに対応するねじ込み要素を係合状態で保持するように有利に設計される。
【００２８】
本発明によると、互いに対応するねじ込み要素として、対になった各々のケースでは、形状が相補的な内側縁部と外側縁部の対（これは本発明によると内側縁部面と外側縁部面、または内側面と外側面とも呼ばれる）は、本体上では歯冠側に形成され、ねじ込みベースまたはねじ込み本体上では歯根尖側に形成され、また同様にねじ込みベース上では歯根側に、ねじ込みヘッド上では歯根尖側に形成され、これらは、三角形、正方形、五角形もしくは六角形、または多角形になるような様式で確動／摩擦式ロックを可能にし、これにより手動駆動式またはモータ駆動式の工具から本体へのトルクの伝達を可能にする。あるいは互いに対応するねじ込み要素はまた、形状が相補的なピンと凹部として、または形状が相補的なモールス・テーパとモールス・コーンの対として設計される場合もあり、この場合、様々な形状が相補的なねじ込み要素の対を本発明による挿入キットで使用することもできる。よって内側縁部と外側縁部の対は、本体上に歯冠側に、かつねじ込みベース上に歯根尖側に設けることができ、モールス・テーパとモールス・コーンの対は、ねじ込みベース上では歯冠側に、かつ、ねじ込みヘッド上では歯根尖側に設けることができる。
【００２９】
ねじ込み要素は、各ケースにおいて、本体の環状凹部の中に円周方向に均等に離間されて配置された２つ以上、好ましくは３つの「同軸の」平面の形態（内側の多角形）と、ねじ込みベース上に円周方向に均等に離間されて配置された２つ以上、好ましくは３つの「同軸の」平面の形態（２つ、３つ、４つまたはそれ以上の面を備えたヘッドとしての外側の多角形）とで設計することができる。
【００３０】
内側縁部面またはピン（確動ロック及び／または摩擦式ロック要素として）などの任意の２つのねじ込み要素の間には、各ケースにおいて、円周方向の移行領域を設けることができ、これは半径方向内向きに向けられたウェブまたは突起（中心領域における）の形態で設計することができる。ここで、そのようなウェブ／突起は、半径方向内向きに向けられた部分を有することができ、これはまたウェブ側面を備えた特定の表面として設計される場合もあり、これらの側面は両側においてねじ込み要素に隣接している、またはその中へと移行している。外側縁部面として形成されるねじ込み要素は、外側縁部面の平面が少なくともねじ込み方向で、好ましくは両方の回転方向で、横方向の突起が備わるように形成することができ、この横方向の突起は、本体が顎にねじ込まれる際、対応するウェブの側面と接触するが、ウェブの先端は接触せず、かつこれは、追加として、ねじ込み工具から本体へのトルクの伝達を補助し、それと同時にねじ込み要素間の寸法公差によって生じる遊びを削減し、同時に止め具としても機能する。ここで、とりわけ本体上のウェブの場合、ウェブの先端／中心領域の損傷を避けるためにウェブの先端／中心領域との接触を回避すべきである。ウェブの位置は、本体の孔の中または対応する構成要素内でのウェブ用の対応する凹部の中に内向きに向けられて半径方向に配置することができ、これは、本体、ねじ込みベース、ねじ込みヘッド及び／またはねじ込み本体上にある１つまたは複数のマーキングを介して外側から見ることができるようにすることができる。そのようなマーキングとして、歯列の残り及び軟組織に対するインプラントまたは実験用インプラントの位置のデジタル取得を可能にするスキャンボディの表面などのスキャンボディマーキングを使用することもできる。
【００３１】
本体にねじ込むために本発明の挿入キットを使用し、その後アバットメントを挿入した後、顎骨の中に配置することができる単独歯インプラントは、それゆえ本体と、本体に挿入することができるアバットメントと、保持用ねじを備えており、この保持用ねじは、本体及びアバットメントの中を貫通し、かつアバットメントの位置を本体に対して固定し、本体の歯根尖側の端部に設けられたねじ切りセクションにねじ込むことができる。
【００３２】
記載されるように、本体は、本体が顎の中で治癒し、保持用ねじとねじ込みベースが取り除かれた後に、アバットメントを挿入することができる環状凹部を有する。環状凹部はここでは、環状凹部の歯根尖側の端部のガイドセクションと、確動ロックセクションと、歯冠側の端部セクションとを備えることができ、アバットメント及びねじ込みベースの対応するセクションがそれらに対して相補的になるように適合される。本体における歯冠側の端部セクションは、好ましくは、円筒形になるように設計され、アバットメントにある対応するセクションがそれに対して適合される。確動ロックセクションでは、ねじ込み要素とは異なる、ウェブやスロットなどの確動ロック要素が配置されており、円周方向におけるアバットメントと本体の相対的な移動を阻止する。ここで、アバットメントにある軸方向のスロットと係合する軸方向のウェブを備えた本体の設計が好ましい。
【００３３】
本体及びアバットメント上にあるガイドセクションは、各々のケースにおいて遊びを有して嵌合するような様式で互いに対して設計される。こうして、本体の中にねじ込みベースまたはアバットメントをガイドする作業を確実にすることが可能になる。ここで、ガイドセクションと確動ロックセクションが２つの異なるセクションとして設計されるケースの場合、ねじ込みベースまたはアバットメントが本体の中に摺動する際、確動ロックセクションを係合させる前に、それぞれのガイドセクションが、本体／ねじ込みベース上にまたは本体／アバットメント上に係合することができる。
【００３４】
そのような遊びを有する嵌合において、ねじ込みベースまたはアバットメントのガイドセクションの最大の半径方向のサイズは、本体のガイドセクションの最小の半径方向のサイズより小さくなる。ここで、公差の範囲は、この遊び、すなわちねじ込みベースまたはアバットメントのガイドセクションの最小のサイズと、本体のガイドセクションの最大のサイズの間の最大の半径方向の距離が、許容可能な値を受け入れる、すなわち摺動抵抗及びガイド作用を受けるように選択される。
【００３５】
本体が顎にねじ込まれ、かつねじ込みベースまたはねじ込み本体が取り外された後、アバットメントを円周方向に配向することができるように、アバットメントを特定のやり方で本体に挿入することができ、本体にあるばねウェブと、アバットメントにあるスロットなどの確動ロック要素を互いに係合するようにさせることができ、かつこの工程において、本体とアバットメントを互いに対して回転式に固定されるようにして取り付けることができる。その後、本体とアバットメントは、それらが保持用ねじを介して互いに対して取り付けられる位置に固定される。
【００３６】
本体の確動ロックセクション及びアバットメントの確動ロックセクションは、アバットメントを本体の凹部に挿入することでウェブ及びスロットそれぞれを互いと係合させ、これにより円周方向の移動を阻止することができるようなやり方で、形状の観点において互いに対して適合されている。それぞれの確動ロックセクションは、本体において、及びそれに対応するアバットメントのそれぞれの外側の１つの円筒形の部分または複数の円筒形の部分において、異なる直径を有する部分も備える環状凹部の中空の円筒形の領域として設計することができる。
【００３７】
本発明による骨内単独歯インプラントの設計は、異なる材料または材料の組み合わせの使用を可能にし、これは、金属、金属合金、セラミック材料及びそれらの組み合わせの群から選択することができる。
【００３８】
ここで、本体は好ましくは、金属、金属合金、セラミック材料及びそれらの組み合わせの群から成る材料から選択することができる。好ましくは、使用されるインプラント材料及び挿入キットは全体として、純チタンまたは金属チタン合金、クロム／ニッケル／アルミニウム／バナジウム／コバルト合金（例えばＴｉＡｌＶ４、ＴｉＡｌＦｅ２，５）、高品位な鋼（例えばＶ２Ａ、Ｖ４Ａ、クロムニッケル３１６Ｌ）、ヒドロキシアパタイト、酸化アルミニウム、酸化ジルコニウム、または金属材料がセラミック材料との複合材料の形態であるそれらの組み合わせなどのセラミック材料で構成される。
【００３９】
本発明の要素の以下の詳細な記載は、そうでないことが指摘されなければ、各ケースにおいてこの点において本発明の全ての実施形態に適用可能である。
【００４０】
本発明によると、ガイドセクションは、確動ロックセクションに対して歯根尖側になるように設けられ、かつ好ましくは円筒形になるように設計されており、それぞれの構成要素が、二重管（ｐｉｐｅ−ｉｎ−ｐｉｐｅ）設置方式での遊びを有する嵌合によってガイドセクションを介して設置されるため、このガイドセクションによって、保持用ねじを利用することによる本体内でのねじ込みベースの、または後のアバットメントの確実で安定的な固定が可能になる。本体におけるガイドセクションの半径方向の内径及びアバットメントにおける外径は、咀嚼する過程においてインプラントに横方向のまたは角度が付いた荷重がかかる場合に、本体の壁の厚さが本体の壁の変形を阻止するのに十分であるように選択される。
【００４１】
本発明によると、各ケースにおいて、本体及びねじ込みベース上にある互いに相補的な確動ロック要素は、雄部分と雌部分の結合部の形態で設計されており、この場合、雄部分（複数可）は好ましくは本体上に配置される。本体の壁の厚さの低下を回避した結果として、このように選択された配置のために、たとえセラミック材料の場合でも正確な力の伝達が可能になり、これにより既知の金属及び合金材料に加えて、完全にセラミック製または部分的にセラミック製の本体を使用することが可能になる。
【００４２】
本発明によると、各ケースにおける雄の確動ロック要素は、本体の長手方向軸に対して平行に延在し、かつ好ましくは、スロットである他方の構成要素にある対応する雌部分に回転式に固定されるような様式で各ケースにおいて嵌合する、ばねウェブの形態であってよい。確動ロック要素は、機械加工、ドリル穿孔などの機械的な処理によって本体及びアバットメントの構成要素から刻み出すことができる。
【００４３】
確動ロックセクションは、円筒形に設計することができる。円筒形の設計では、ねじ込みベースまたはアバットメントにある確動ロックセクションは、その外径を有する円筒形の部分の形態で設計され、これは長さ及び直径の観点で、本体にある中空の円筒形の孔に適合されている。
【００４４】
本発明によると、ばねウェブは、各ケースにおいて盲孔（保持用の孔）の中で保持される機械加工されたノーズ、ウェブまたはピンの形態で設計することができる、という利点がある。ピンは好ましくは、円形または規則的なまたは不規則的な多角形の断面を有し、その断面の一部分が、円錐形の壁にあるスロットから、雄部分と雌部分の相対的な位置に応じて、本体の長手方向の中心軸の方向に対して半径方向に突出し、確動ロックセクションの最大の軸方向の長さにわたる範囲までばねウェブを形成することができる。最も簡素な形態では、ピンは、円筒形の形状を有し、例えば線引き機の中に形成することができる。
【００４５】
インプラントポスト／保持用ねじに関して、本体の円錐形の確動ロック及びセンタリングセクションの歯根尖側で盲孔の中に内側のねじ切りが設けられ、この場合、保持用ねじはまた、アバットメントの中を完全に通り抜ける。
【００４６】
本発明の別の態様は、−構成要素の簡素化された機械的な機械加工及び簡素化された取り扱いに加えて、−１回法または２回法の植え込み中の状況を、とりわけ治癒段階において本体内で可能な限り無菌状態に保つことができ、これによりインプラントを顎に取り込む際及び咀嚼する過程において、それを使用する間、均衡のとれた機械的安定を達成することもでき、これは従来技術で既知のシステムではなかったことである。
【００４７】
本発明による挿入キットの準備に関して、ねじ込みベースまたはねじ込み本体を本体の環状凹部に挿入することができ、この工程において、本体の形状が相補的なねじ込み要素と、ねじ込みベース（歯根尖側の）またはねじ込み本体が互いと係合するようにされる。（歯根尖側の）保持用ねじを利用して、ねじ込みベースを本体内に固定することができる。
【００４８】
ねじ込みベースと、ねじ込みヘッドの２つの部分の形態では、ねじ込みヘッドが、ねじ込みベースの上に置かれ、それぞれの確動ロックセクションにおいて、ねじ込みベース（歯冠側）／ねじ込みヘッドにある形状が相補的なねじ込み要素が互いと係合するようにされる。ねじ込みヘッドはその後、保持用シャフトを利用して、または第２の保持用ねじと第１の（歯根尖側の）保持用ねじ上の保持用シャフトを利用して、回転式に固定されるようにして取り付けることができる。
【００４９】
ねじ込みベースとねじ込みヘッドが一体式の形態のケースでは、ねじ込み本体が本体の上に置かれ、この工程において、本体及びねじ込み本体にある形状が相補的なねじ込み要素が、それぞれの確動ロックセクションにおいて互いと係合するようにされる。ねじ込み本体はその後、（歯根尖側の）保持用のねじと保持用シャフトを介して、または設計に応じて、第２の保持用ねじと第１の保持用ねじ上の保持用シャフトを介して、回転式に固定されるようにして取り付けることができる。
【００５０】
保持用シャフトを取り付けた後、一体式の形態またはねじ込みベースとねじ込みヘッドのツーピース型の形態の各ケースでは、本発明による挿入キットが、ガンマ滅菌によって滅菌され、使用に備えて滅菌包装の中で保管することができるという利点がある。
【００５１】
使用するためには、インプラント専門医が滅菌包装から挿入キットを取り出し、多角形のソケットを保持用シャフトの上に置き、このソケットが、ねじ込みヘッドまたはねじ込み本体の歯冠側の端部において多角形を取り囲み、その後、例えば円周方向の環状スロットなどの保持用シャフトの歯冠側の端部に在る取り付け要素が、ねじ込み工具にあるホルダーに嵌合することができ、かつそれと同時に多角形のソケットが、ねじ込み工具にある力伝達要素に嵌合することができるような様式で、保持用シャフト（多角形のソケットを備えた）をねじ込み工具の中に配置する。この工程において、患者の顎の中の状態を考慮して、インプラント専門医は、１回法または２回法の植え込み法を選択し、これに従って、一体式のねじ込み本体を含む挿入キットか、ねじ込みベースとねじ込みヘッドを備えたツーピース型の変形形態を含む挿入キットの種類を決定することができる。各ケースにおいて、インプラント専門医が、本体及びねじ込みベース／ねじ込み本体の密閉式の滅菌システムを患者の顎の中に取り込むことができ、これにより顎の中でのインプラントの成長にとって最適な状況を生み出すことが保証される。
【００５２】
以下で本発明による挿入キット及びその構成要素の実施形態の例を、略図化した図面を参照して詳細に説明する。
【図面の簡単な説明】
【００５３】
【図１Ａ】右側の上面図に示される面に沿った軸方向の長手方向の断面における、本発明による、挿入キットの一実施形態の例を示す図であり、この実施形態は主にインプラントが完全に覆われる治療法に適している。
【図１Ｂ】右側の上面図に示される面に沿った軸方向の長手方向の断面における、本発明による挿入キットの別の実施形態の例を示す図であり、この実施形態はインプラントが完全に覆われる治療法と、インプラントが歯茎を貫通する治療法の両方に適している。
【図１Ｃ】右側の上面図に示される面に沿った軸方向の長手方向の断面における、本発明による挿入キットの別の実施形態の例を示す図であり、この実施形態は主にインプラントが歯茎を貫通する治療法に適している。
【図１Ｄ】右側の上面図に示される面Ｂ−Ｂにおける本体とねじ込み本体の結合部のレベルにおける、図１Ｃからの実施形態の例の断面図ならびにその詳細な図である。
【図２】右側の上面図に示される面に沿った軸方向の長手方向の断面における、ならびに本体に対して下からと、上からのそれぞれの上面図における、図１Ａ、図１Ｂまたは図１Ｃに示される本発明による挿入キットの一実施形態の例を示す図である。
【図３】右側の上面図に示される面に沿った軸方向の長手方向の断面における、ならびにねじ込みベースに対して下からと、上からのそれぞれの上面図と、右側の上面図に示される面Ｂ−Ｂ及びＣ−Ｃにおけるそれぞれの断面図における、図１Ａまたは図１Ｂに示される本発明による挿入キットで使用されるねじ込みベースの一実施形態の例を示す図である。
【図４】右側の上面図に示される面に沿った軸方向の長手方向の断面における、ならびに保持用ねじに対して下からと、上からのそれぞれの上面図における、ねじ込みベースを本体の中に取り付けるための、図１Ａ及び図１Ｂに示される本発明による挿入キットで使用される保持用ねじの一実施形態の例を示す図である。
【図５】右側の上面図に示される面に沿った軸方向の長手方向の断面における、ならびにねじ込みヘッドに対して下からと、上からのそれぞれの上面図と、右側の上面図に示される面Ｂ−Ｂにおける断面図における、図１Ａまたは図１Ｂに示される本発明による挿入キットで使用されるねじ込みヘッドの一実施形態の例を示す図である。
【図６】上面図における、ならびに保持用シャフトに対して下からと、上からのそれぞれの上面図における、図１に示される本発明による挿入キットで使用される保持用シャフトの一実施形態の例を示す図である。
【図７】右側の上面図に示される面に沿った軸方向の長手方向の断面における、ならびに閉鎖ねじに対して下からと、上からの上面図における、ねじ込みベースと保持用ねじを閉鎖するための閉鎖ねじの一実施形態の例を示す図である。
【図８】右側の上面図に示される面に沿った軸方向の長手方向の断面における、ならびにアバットメントに対する上からの上面図における、図２に示される本発明による挿入キットに準じて本体と共に使用することができるアバットメントの一実施形態の例を示す図である。
【図９Ａ】アバットメントが本体に挿入され、保持用ねじによって取り付けられた状態の上面図における、ならびに上面図の面Ａ−Ａに沿った軸方向の長手方向の断面における、図１の場合などの本発明による挿入キットで使用される際の本体の一実施形態の例を示す図である。
【図９Ｂ】右側の上面図に示される面Ｂ−Ｂにおける本体とアバットメントの結合部のレベルにおける、図９Ａからの実施形態の断面図ならびにその詳細な図である。
【発明を実施するための形態】
【００５４】
図１Ａにおける長手方向の断面に概略的に示されるように、特定の設計において、本発明による挿入キットは、本体１０と、その中に保持用ねじ６０が取り付けられたねじ込みベース４０と、ねじ込みベース上に着座するねじ込みヘッド８０と、ここでは一体式の保持用シャフト１１０とを備え、この保持用シャフトはねじ込みヘッド８０内へと貫入し、ねじ込みベース４０内で保持用ねじ６０の中に取り付けられる。
【００５５】
図１Ａに示される本発明による挿入キットの実施形態では、保持用シャフト１１０と、保持用シャフト１１０に差し込まれ、確動ロック作用によって外側の多角形９２を取り囲む、図面には表されていない工具、例えば多角形のソケットとを介して、歯科用アングルピースから本体にトルクが伝達される。この目的のために、保持用シャフト１１０は、歯根尖側の端部に設けられ、ねじ切りが備わっており、このねじ切りは、保持用ねじ６０にねじ込ませることができる、または差し込み締め具を利用してそこに取り付けることができる。保持用シャフト１１０は例えば、保持用シャフト１１０の中間セクションに設けられ、かつ外側の多角形９２を備えたねじ込みヘッド８０の端部セクション上に歯冠側に置かれる、場合によっては円錐形のカラーフランジ１１４を利用して、ねじ込みヘッド８０がねじ込みベース４０に当接するように保持され、それがねじ込みベース４０と共に前面９０の領域内で歯根尖側に確動ロック結合部及び／または摩擦式ロック結合部を形成するようなやり方で形成される。ねじ込みベース４０は、保持用ねじ６０を介して本体１０に取り付けられ、本体とねじ込みベースの対の確動ロック領域に配置されたねじ込み要素によって円周方向のねじれに対向するようにしっかりと固定される。指標マーキング１０９を介してねじ込み要素の位置を示すことができる。本発明による挿入キットの個々の構成要素を以下でさらに詳細に記載する。
【００５６】
本発明による挿入キットによって、インプラント専門医が、植え込み箇所の状況に応じて、包装から取り出され歯科用アングルピースに固定された挿入キットを患者の顎の孔の中にねじ込み、１回法または２回法の治療のための準備を始めることが可能になる。この目的のために、歯科用アングルピースを利用することで、この目的のための他の組立体を必要とせずに保持用シャフト１１０と多角形９２を介してトルクが本体に伝達され、本体を顎に簡単にねじ込むことが可能になる。本体を顎にねじ込む工程が終わった後、保持用シャフト１１０は必要であれば、保持用ねじ６０のねじ切りから回して緩めることができる。この目的のために、保持用シャフト上に、オープンエンドレンチなどの工具のための配置場所１１８を設けることができる。ねじ込みヘッド８０は、図１Ｂに示されるようにねじ込みベース４０上の押し込み要素もしくはねじ要素を介して、または補助の保持用ねじ９４を介して保持用ねじ６０上に固定することができ、かつインプラント専門医の決定に応じて、１回法または２回法の治療のためにねじ込みベースから取り外すことができる。
【００５７】
インプラント専門医が１回法の治療を利用する場合、ねじ込みヘッド８０をねじ込みベース４０上に維持することができ、それ自体を、一種の一時的なアバットメントとして、またはスキャンボディとして一時的な義歯のための固定器具として使用することができる。ここで、一時的なアバットメントとして使用する場合、保持用シャフト１１０を取り外した後、ねじ込みヘッドの歯冠側の端部に配置された多角形９２、例えば六角形を、多角形９２の下の環状スロット９６のところで切り離すことができ、ねじ込みヘッド８０の残りの下方部分は、一時的な義歯を固定するために使用することができる。ねじ込みヘッド８０は、ねじ込みベース４０と共に確動ロック及び／または摩擦式ロック結合部を形成することができるという利点がある。ここで、このような確動ロック結合部はまた、ねじ込みヘッド８０が確動ロック要素を介してねじ込みベース４０に押しつけられる、または補助の保持用ねじ９４を介して固定させることができるように設計される場合もある。
【００５８】
説明するように、ねじ込みベース４０は、保持用ねじ６０を介して本体に固定することができる。ここで、保持用ねじには、歯根尖側のねじ切り６２と、中間セクションと、ねじヘッド６６とが備わっている。ねじヘッド６６には、保持用シャフト１１０用または第２の保持用ねじ９４用の固定具を内側のねじ切りの様式で設けることができ、保持用シャフト１１０を、その歯根尖側の端部に設けられたねじ切り１１２を介して、または図１Ｂに示される第２の保持用ねじ９４を介してその中にねじ込むことができる。保持用ねじ９４によって、顎の状況がこういったことを必要とする場合、より短い保持用シャフト１１０を使用することが可能になる。あるいは、保持用ねじ６０と保持用シャフト１１０間のねじ込み式の結合部の代わりに、差し込み式の結合方式でのスナップイン結合部（表されていない）が設けられる場合もあり、これは保持用シャフト１１０が取り込まれる際、ねじ込みヘッドに嵌合し、保持用シャフト１１０を保持用ねじ６０を介してねじ込みベース４０上に固定する。保持用シャフト１１０とねじ込みヘッド８０の間の確動ロック結合部（表されていない）もまた、多角形の結合部を介して実現することができ、そこでは、ねじ込みヘッドにある孔が、少なくとも特定の部分において内側の多角形の様式で実現され、保持用シャフト１１０の対応する部分を外側の多角形の様式で合致させる。例えば、六角形の形状の保持用シャフトの外側の多角形の部分は、保持用シャフトの歯根尖側の端部までほぼ延在することができ、この場合、保持用シャフトの歯根尖側の端部に環状スロットが設けられ、Ｏリングがその中に設置され、これが、保持用ねじ６０のねじヘッド６６内の対応する環状スロットに嵌合することで、スナップイン結合部を形成することができる。
【００５９】
図１Ｂ及び図１Ｃは、本発明による挿入キットの他の実施形態を示している。ここで、図１Ｂは、図１Ａにおける長手方向の断面にも概略的に示されるように、本発明による挿入キットを示しており、これは、本体１０と、その中に保持用ねじ６０が取り付けられたねじ込みベース４０と、その中に第２の保持用ねじ９４が取り付けられ、ねじ込みベース上に着座するねじ込みヘッド８０と、一体式の保持用シャフト１１０とを備え、この保持用シャフトは、ねじ込みヘッド８０の中へと貫入し、ねじ込みベース４０内で保持用ねじ９４の中に取り付けられる。
【００６０】
図１Ｃは、図１Ａとよく似ており、特定の設計における本発明による挿入キットの別の実施形態を長手方向の断面で概略的に示している。これは本体１０と、その中に取り付けられた保持用ねじ６０を備える一体式のねじ込み本体９８（ねじ込みベース４０とねじ込みヘッド８０で構成される）と、単独部品の保持用シャフト１１０とを備え、この保持用シャフトは、ねじ込み本体９８の中へと貫入し、保持用ねじ６０の中に取り付けられる。この実施形態の一変形形態では（これは表されていない）、同様に保持用シャフト１１０を第２の保持用ねじ９４の中に取り付けることができる。図１Ｃに関する詳細な図面及び図１Ｄによるその拡大された描写に示されるように、本体１０及びねじ込み本体９８にあるねじ込み要素（３０；１０６）は、ばねウェブ（２６、５５）とスロット（５０、９１）とが接触することなく、ねじ込み本体９８から本体１０へのトルク伝達、−及びこれに対応して、以下で説明するようにねじ込みベース４０から本体１０への、またはねじ込みヘッド８０からねじ込みベース４０へのトルク伝達の場合を可能にするように設計される。この目的のために、ばねウェブ（２６、５５）とスロット（５０、９１）は、各ケースにおいて互いに対して十分な遊びを有するように設計されるため、回転する際、ウェブ（２６、５５）とスロット（５０、９１）の間に接触が生じることがなく、よってウェブ（２６、５５）とスロット（５０、９１）は機械的な損傷から保護される。これは、スロットのスロット縁部と、ウェブと、その側面とが、とりわけねじ込み運動において、本体の長手方向軸に対して同軸であるスロット縁部が、ウェブの根元３６の領域においてウェブの側面３８に押されないように支えることで、ばねウェブの半径方向の端部とスロットの接触が回避され、とりわけ衝突から保護するようにしてばねウェブがそぎ取られるのが阻止されるように設計される点においてさらに補助することができる。
【００６１】
原則として、第２の保持用ねじ９４を使用する場合、このような保持用ねじ９４のヘッドが環状スロット９６の面の真下で終わることで、第２の保持用ねじ９４によって妨害されずに多角形９２の切り離しが可能になることが有利である。
【００６２】
図１Ｄは、右側の上面図に示される面Ｂ−Ｂにおける本体とねじ込み本体の結合のレベルにおける、図１Ｃからの実施形態の例の断面図ならびにその拡大された詳細な図を示している。ねじ込み要素の対、好ましい実施形態では３つのねじ込み要素の対が、ここでは本体１０にある内側の縁部面３０の形態で設計されており、これは、ねじ込み本体９８にある外側縁部面１０６と接触することになり、ねじ込み工具から本体１０へのトルクの伝達を可能にする。ここで、全ての２つのねじ込み要素の対（３０、１０６）の間に、確動ロック要素の対（２６、１０５）がばねウェブとスロットの結合部の形態で配置され、この場合、スロット縁部１０８が、本体上のばねウェブ２６のばねウェブの根元３６の上に置かれ、両側の接点の間ではスロットとばねウェブとは全く接触せず、とりわけ本体にねじ込む際のウェブの損傷を阻止する。図１Ｄによるこのような詳細な描写は、原則として、本体とねじ込みベースの間のねじ込み要素の対またはねじ込みベースとねじ込みヘッドの間のねじ込み要素の対にも適用され、この場合、後者のケースではウェブの表面とスロットの表面の間の接触も同様に許容される。
【００６３】
製造に関する理由、及びまた再利用に関する理由のために、２つの隣接するねじ込み要素の対(３０、４８;５６、８８;３０、１０６)の間のばねウェブとスロットの結合部（２６、５０;２６、１０５;５５、９１）の形態の本発明による挿入キットのねじ込み要素の対を備えた全ての構成要素において、確動ロック要素の対は好ましくは、本体が顎の中にねじ込まれる、または顎から回して緩められるとき、ばねウェブとスロットの間に接触が生じることがなく、少なくとも１つのスロット(５０;９１;１０５)の、本体の長手方向軸に対して同軸であるスロット縁部（５１;８９;１０８)のみが、回転方向において、対応するばねウェブ（２６；５５）の、本体（１０）の長手方向軸に対して同軸であるばねウェブの根元（３６;５７)と接触するような様式で確動ロックセクション内に配置される。
【００６４】
ここで、２つの隣接するねじ込み要素の対(３０、４８;５６、８８;３０、１０６)の間のばねウェブとスロットの結合部(２６、５０;２６、１０５;５５、９１)の形態の確動ロック要素の対は好ましくは、本体の長手方向軸に対して同軸であるスロット縁部（５１;８９;１０８)が、対応するばねウェブ（２６；５５）の、本体（１０）の長手方向軸に対して同軸であるばねウェブの根元（３６;５７)と両側で接触するような様式で配置され、この場合２つの接点の間で、ばねウェブとスロットは遊びを有して離間される。
【００６５】
図２に示されるように、図１では底部に示されるその歯根尖側の端部における本体１０は、密閉されるように設計され、図１の頂部に位置するその歯冠側の端部に向かって開放する盲孔１２を有し、盲孔１２の歯根尖側の端部に内側のねじ山１４を備える。図２の図面には示されない、ねじ込みベース４０またはアバットメント１４０用の保持用ねじ６０を内側のねじ切りにねじ込むことができる。歯冠側の方向で、内側のねじ切り１４より大きな内径を有する中空の円筒形の環状凹部１６が、本体１０の内側のねじ切り１４に隣接している。描写される形態では、環状凹部１６は、３つの領域１８；２０；２２を有する。よって、図２による環状凹部１６は、歯冠側で内側のねじ切り１４と隣接するガイドセクション１８を備える。歯冠側の方向で、確動ロックセクション２０が、環状凹部１６のガイドセクション１８に隣接しており、確動ロックセクションは、ガイドセクション１８より大きな内径を有し、かつ図２による実施形態では、少なくとも断面において、半径方向内向きに向けられた３つのばねウェブ２６を備える円錐形の内壁を備えることができる。ばねウェブ２６は、それらがさねはぎ結合の様式で、図８に示されるアバットメント１４０にあるスロット１４２に一致するように形成され、かつそれらは好ましくは、確動ロックセクション２０の軸方向の全長にわたって延在するような寸法を有することができる。ばねウェブ２６は、機械操作式の機械処理または電気化学処理によって本体から形成することができる。
【００６６】
図２によると、確動ロックセクション２０内では、各ケースにおいて、ねじ込み要素としての内側縁部面３０は、好ましくは全ての２つのばねウェブ２６の間に設けられ、ねじ込み要素として図３に示されるねじ込みベース４０にある形状が相補的な対応する外側縁部面４８が、本体１０を顎にねじ込む工程において、この内側縁部面と接触することができる。加えて、外側の多角形の面として形成されるねじ込み要素を、外側縁部面の平面（それが半径方向に突出するように形成することもできる）が、対応するウェブの側面３８／５９において本体を顎にねじ込む際、少なくともねじ込み方向で、スロット縁部５１／１０８を利用してウェブの根元３６／５７と接触し得るが、ウェブの先端とは接触しないようなやり方で、各ケースにおいてねじ込みベースまたはねじ込み本体上に形成することができ、またこの方法において、それは、ねじ込む際にウェブの先端を損傷する可能性がなく、本体へのトルクの伝達も補助する。そのようなばねウェブの根元とスロット縁部との相互作用／支持／当接は、本発明による挿入キットで使用される各々のねじ込み要素の対において生じるため、半径方向のばねウェブ／スロットが２つのねじ込み要素の対の間に配置される場合、回転方向におけるトルクの伝達を補助する。
【００６７】
機械的及び幾何学的理由のために、例えば本体１０上の内側縁部面などの３つのねじ込み要素の使用が有利であるが、ねじ込みベース４０を挿入する際、本体１０にある確動ロック要素と、ねじ込みベース４０にある確動ロック要素を確実に係合させることができる限り、ねじ込みベースの対応する外側縁部面４８がねじ込み要素として係合する２つから６つの内側縁部面などのねじ込み要素を設けることも可能である。本発明による実施形態では、内側縁部面の間に、各ケースにおいてばねウェブ２６などの突起を適切な数で設けることができ、この場合、力の伝達を向上させる理由により、ばねウェブと内側縁部面は、確動ロックセクションの軸方向の全長にわたって軸方向に延在し、ねじ込みベースの形状が相補的な外側縁部面を介するトルクの伝達を可能にすることができる。
【００６８】
図３に示されるねじ込みベースは、歯冠側の支持カラー５４と、これに歯根尖側で隣接し、Ｏリング（表されていない）などの密閉手段を端部セクション５２内に収容するための円周方向のスロット（表されていない）を備えることができる端部セクション５２と、確動ロックセクション４６と、ガイドセクション４４とを備える。確動ロックセクション４６内に、各々が外側の多角形の面４８の形態の複数のねじ込み要素と、軸方向に延在するスロット５０が設けられ、各々が、本体１０の確動ロックセクション２０におけるねじ込み要素と、ばねウェブ２６にその形状、配置及び数にそれぞれ一致している。本体内に配置されたねじ込みベース４０において、スロット５０は、ばねウェブ２６の損傷を回避するために、本体１０内のばねウェブ２６に対して好ましくは中央で遊びを有して、かつ好ましくは接触しないように配置され、その一方で、本体１０にあるねじ込み要素３０は、トルク伝達を可能にするために、ねじ込みベース４０にあるねじ込み要素４８と確動ロック及び／または摩擦式ロック係合状態にある。
【００６９】
その内径が、図２には示されない、［図４の保持用ねじ６０］の外径とおおよそ一致する軸方向の長手方向の孔４２が備わったねじ込みベース４０を本体１０に挿入する際、ガイドセクション４４が環状凹部１６のガイドセクション１８に嵌合し、この場合ガイドセクション４４の円筒形の側面が、本体１０のガイドセクション１８の内側の円筒形の側面と接触するようになる。
【００７０】
ねじ込みベースが挿入される際、ねじ込みベース４０の端部セクション５２は、本体１０の端部セクション２２の中に配置される。ばねウェブ２６はスロット５０の中に位置決めされ、支持カラー５４は、前方縁部２８に接触することができる。こうしてねじ込みベース４０は、密閉式にかつねじ込み要素の対[３０;４８]を介して本体１０に対して確動ロック作用によって取り付けられる。
【００７１】
ねじ込みベース４０の中を通り抜け、本体１０の内側のねじ切り１４にねじ込むことができる、図４に示される保持用ねじ６０を利用して、ねじ込みベースを回転式に固定されるようにして本体１０に結合させることができる。例えばアバットメント１４０を挿入すべきときなど、本体１０からのねじ込みベース４０の取り外しを容易にするために、ねじ込みベース４０の中を通り抜ける孔４２の中に内側のねじ切りを設け、保持用ねじを取り外した後、その中に、外側のねじ切りを備えた印象ポスト（表されていない）をねじ込むことができ、この外側のねじ切りは、本体の内側のねじ切り１４に押されないようにその歯根尖側の端部を利用して補強することが可能である。印象ポストをねじ込む際、ねじ込みベース４０をこの場合、本体１０から歯冠側に持ち上げて取り外すことができる。
【００７２】
支持カラー５４上の歯冠側の端部セクションにおいて、ねじ込みベース４０は、内側のねじ込み要素５６を備え、これは内側の多角形面５６として設計することができ、かつねじ込みヘッド８０上の確動ロックセクション８６内の外側の多角形の面８８と共に確動ロック結合部を形成することができる。この方法において、保持用シャフト１１０及びねじ込みヘッド８０を介してのアングルピースからねじ込みベース４０への及び本体１０へのトルクの伝達が行われ、挿入キットを顎にねじ込むことを可能にすることができる。ここでもまた、機械的及び構造上の理由のために、ねじ込みベース４０上の３つの内側縁部面５６が有利であるが、ねじ込みベース４０とねじ込みヘッド８０にあるねじ込み要素[５６;８８]を確実に係合させることができる限り、ねじ込みヘッド８０の形状が相補的な対応する外側縁部面８８がねじ込み要素として、そこに係合する２つから６つの内側縁部面を設けることもできる。
【００７３】
図４に示されるように、保持用ねじ６０は、歯根尖側に配置されたねじ切り６２と、中央セクションと、ねじヘッド６６とを備え、このねじヘッドは、円錐形のカラー６４を備えた歯根尖側の下部セクション６８と、歯冠側の上部セクション７０とを有する。下部セクション６８は、上部セクション７０と比べて大きな半径方向の直径を有しており、かつ保持用ねじ６０をねじ込む際、それは円錐形のカラー６４を利用してねじ込みベース４０を円錐形の部分５８を介して本体１０に当接するように押し当てる。上部セクション７０とねじ込みベース４０の間で、ねじ込みヘッド６６とねじ込みベースの間に半径方向に円筒形のスロットをこうして形成することができ、その中にねじ込みヘッド８０の管状の円筒形のセクション８４が嵌合することができ、これにより、ねじ込みヘッド８０をねじ込みベース４０内にガイドすることを可能にする。ねじ込みヘッドの管状の円筒形のセクション８４内にロック要素を設けることができ、これは、ねじ込みベース４０及び／または保持用ねじ６０のねじ込みヘッド６６にある概ね対応するロック要素と共に、もはや保持用シャフト１１０または第２の保持用ねじのない、ねじ込みベース４０へのねじ込みヘッドの取り付け作業を可能にする。ねじ込みヘッド６６内に内側の六角形の部分（多角形のソケット）が設けられ、これには補助的に内側のねじ切りが備わっている。六角形のソケットレンチを利用して、ねじ込みベース４０の取り外し及びアバットメント１４０の本体の環状凹部１６への挿入を可能にするために、保持用ねじ６０を本体１０から回して緩めることができる。保持用シャフト１１０または第２の保持用ねじの外側のねじ切り１１２を、ねじ込みヘッド６６の内側の六角形の部分にある内側のねじ切りにねじ込むことで、ねじ込みヘッド８０をねじ込みベース４０上に固定させることができる。
【００７４】
図５によると、歯根尖側の端部において、ねじ込みヘッド８０は前面９０を備え、これは、この前面上に設置位置において、ねじ込みベース４０の支持カラー５４と接触している。この設置位置において、管状の円筒形のセクション８４が、ねじ込みヘッド６６と、ねじ込みベース４０の歯冠側の支持カラー５４の間に係合し、確動ロックセクション８６内の外側の多角形の面８８として形成されたねじ込み要素が、ねじ込みベース４０上の内側の多角形の面５６として形成されたねじ込み要素と共に確動ロック／摩擦式ロック結合部を形成する。こうして、保持用シャフト１１０及びねじ込みヘッド８０上の六角形などの多角形９２を介して、アングルピースからねじ込みベース４０へ、及びこれにより本体１０へのトルクの伝達を行うことができる。ここで多角形９２は、ねじ込み工具（図面には表されない）上に設けられた内側の多角形によって、ソケットレンチソケット方式で包囲され、これにより工具からねじ込みヘッド８０への力の伝達を可能にすることができる。
【００７５】
機械的及び幾何学的理由のために、ねじ込みヘッド８０からねじ込みベース４０に力を伝達する際、３つのねじ込み要素の対（５６；８８）の使用が有利であるが、２つから６つのねじ込み要素の対を設けることもでき、この場合、各ケースにおいて、ねじ込みヘッド８０の対応する外側縁部面８８がねじ込み要素としてねじ込みベースの内側の多角形の面５６に係合する。多角形の結合部の代わりに、例えばピン／同軸の突起を一方の構成要素に形成し、対応する凹部を他方の構成要素に形成することによって、原理としては他の確動ロック結合部を設けることもできる。
【００７６】
図６は、上面図において、歯根尖側のねじ切りセクション１１２と、保持用シャフト１１０の中間セクションにあるカラーフランジ１１４と、アングルピース用の配置場所１１６と、工具配置場所１１８とを備えた保持用シャフト１１０を示す。例えば、保持用シャフト１１０は、保持用シャフト１１０の中央セクション内に設けられ、かつねじ込みヘッド８０の端部セクションと接触するカラーフランジ１１４を利用して、ねじ込みヘッド８０が摩擦式ロック及び／または確動ロックによってねじ込みベース４０に当接して保持される、または一体式のねじ込み本体９８が本体１０に当接して保持され、確動ロック及び／または摩擦式ロック結合部が、前面９０及び支持カラー５４の領域内のねじ込みヘッド８０とねじ込みベース４０によって、または一体式のねじ込み本体９８と本体１０によって形成されるような様式で設計することができる。
【００７７】
図１Ａに示されるように、保持用シャフト１１０はツーピース型の形態で形成することもでき、この場合、下部セクションは、第２の保持用ねじ９４の形態で設計することができ、これは保持用ねじ６０にねじ込まれる際、ねじ込みヘッド８０をカラーフランジ１１４によってねじ込みベースに当接するように当てる。
【００７８】
図７は、ねじ切り１２２と、これを利用して、閉鎖ねじ１２０を保持用ねじ６０の内側の六角形７２にあるねじ切りにねじ込むことができる六角形スパナを配置するための内側の六角形１２４と、を備えた閉鎖ねじ１２０を示している。インプラント専門医が２回の治療法を利用するつもりであるならば、この閉鎖ねじを利用してねじ込みベース４０を閉鎖することができ、形成組織が本体を覆うように成長する。
【００７９】
よって特定の設計において、本発明による挿入キットは、本体１０と、その中に保持用ねじ６０が取り付けられたねじ込みベース４０と、ねじ込みベース上に着座するねじ込みヘッド８０と、保持用シャフト１１０とを含み、この保持用シャフトは、ねじ込みベース４０内で保持用ねじ６０の中に直接または第２の保持用ねじを介して取り付けられる。
【００８０】
図８の一例に示されるアバットメント１４０は、固定式の義歯のための締め具用の締結ヘッド１５２（示されていない）を介して使用される。締結ヘッド１５２は、ここでは、顎の中の植え込み位置に実在する個々の空間状況に適合させることができ、円錐形に、傾斜させて及び／または凸状に成形することができる。使用位置において、本体１０の前方縁部２８に置くことができる密閉フランジ１５０の真下で、アバットメント１４０は、歯根尖の方向に、例えばＯリング（表されていない）などの密閉手段を端部セクション１４８に収容するための円周方向のスロット（表されていない）を備える端部セクション１４８と、それに対して歯根尖側の確動ロックセクション１４６と、ガイドセクション１４４とを備える。確動ロックセクション１４６内に、いくつかの軸方向に延在するスロット１４２が設けられ、これは本体１０の確動ロックセクション２０内のばねウェブ２６に対して、形状及び配置、必須ではないが数が一致している。挿入された状態で、スロット１４２は、ばねウェブ２６と係合され、本体１０上のねじ込み要素３０はここでもやはりアバットメント１４０に接触しないが、好ましくはアバットメント１４０上に載せることができる。少なくともスロット縁部１４３は、本体１０上のばねウェブ２６のウェブの根元３６の上にねじ込み方向に支持されることが好ましい。このようにして、回転運動が原因でばねウェブが剪断されないことが確実に達成される。本体とアバットメントとの結合部の詳細が図９Ｂに示される。
【００８１】
軸方向に長手方向の孔が備わっており、その内径が図２に示されない〔図４における６０〕保持ねじの外径におおよそ一致するアバットメント１４０を本体１０に挿入する際、ガイドセクション１４４は、本体１０の環状凹部１６のガイドセクション１８に嵌合し、この場合、ガイドセクション１４４の円筒形の側面が、本体１０のガイドセクション１８の内側の円筒形の側面と接触するようになる。
【００８２】
アバットメント１４０の端部セクション１４８は、本体１０の端部セクション２２内に締まり嵌めによって配置することができる。ばねウェブ２６は、スロット１４２に嵌合し、密閉フランジ１５０は、前方縁部２８と接触するようになる。こうしてアバットメント１４０は、密閉式にかつ確動ロックによって回転式に固定されるようにして本体１０に取り付けられる。
【００８３】
保持用ねじ６０に相当し、かつ本体１０の内側のねじ切り１４にねじ込むことができる、アバットメント１４０の中を通過する保持用ねじを利用して、アバットメント１４０を回転式に固定されるようにして本体１０に結合させることができる。本体１０からのアバットメント１４０の取り外しを容易にするために、アバットメントの中を通過する孔の中に、図８に表されない内側のねじ切りを設けることができ、保持用ねじを取り外した後、その中に外側のねじ切りを備えた印象ポスト（表されていない）をねじ込むことができ、この外側のねじ切りは、その歯根尖側の端部によって本体の内側のねじ切り１４上に支持される。印象ポストをねじ込む際、アバットメント１４０をこの場合、歯冠方向に持ち上げて本体１０から出して取り外すことができる。
【００８４】
図１に示される本発明による挿入キットの中であり、アバットメント１４０が本体に挿入され、保持用ねじ１５４によって取り付けられた状態であり、上面図ならびに面Ａ−Ａに沿った上面図における軸方向の長手方向の断面における、図９Ａに示される本体１０の実施形態の例を、右側の上面図に示される面Ｂ−Ｂにおける図９Ｂによる拡大された断面図、ならびに図９Ｂにおける詳細な図でさらに説明する。
【００８５】
そこに示されるように、本体（１０）の確動ロックセクション（２０）と、アバットメント（１４０）の確動ロックセクション（１４６）は、２つから６つの互いに形状が相補的な確動ロック要素の対（２６；１４２）を、本体（１０）にある、本体の長手方向軸に対して同軸で半径方向内向きに向けられたばねウェブ（２６）の形態と、アバットメント（１４０）にあるスロット面（１４１）及び２つのスロット縁部（１４３）を備えた対応するスロット（１４２）の形態で、さねはぎ結合の様式で備えており、この場合、本体（１０）の確動ロックセクション（２０）と、アバットメント（１４０）の確動ロックセクション（１４６）は、２つから６つの互いに形状が相補的な内側の縁部と外側の縁部の対を、本体（１０）にある内側縁部面と、アバットメント（１４０）にある対応する外側縁部面の形態で備え、これらは、本体（１０）とアバットメント（１４０）における確動ロック要素と好ましくは交互になるように周辺部分にそれぞれ形成される。ここで本体（１０）にある内側縁部面（３０）と、アバットメント（１４０）にある対応する外側縁部面（１４５）は、アバットメント（１４０）を本体（１０）に挿入する際、少なくとも部分的に接触することになる。
【００８６】
さらにここで、詳細には、本体の長手方向軸に対して同軸であるスロット（１４２）の各々のスロット縁部（１４３）が、対応するばねウェブ（２６）の、本体の長手方向軸に対して同軸であるばねウェブの根元（３６）に接触することができる。
【００８７】
本体（１０）にある各々のばねウェブ（２６）のウェブの側面（３８）と、アバットメント（１４０）にあるスロット（１４２）のスロット面（１４１）が、アバットメント（１４０）を本体（１０）に挿入する際、少なくとも部分的に接触することになる。
【００８８】
よって本発明は、ガイドセクション（１４４）と、確動ロックセクション（１４６）と、端部セクション（１４８）と、保持用ねじを収容するための孔と、義歯のための締結ヘッド（１５２）とを有する、クレーム１４〜１６のいずれか一項による、固定式の義歯のための骨内単独歯インプラント用のアバットメント（１４０）であって、
アバットメント（１４０）の確動ロックセクション（１４６）内に、アバットメントの長手方向軸に対して同軸である２つから６つ、詳細には３つのスロット（１４２）が配置され、これらはスロット面（１４１）と、スロット縁部（１４３）とを有し、本体（１０）にあるばねウェブ（２６）と共に、さねはぎ結合を形成するように設計されており、
アバットメント（１４０）の確動ロックセクション（１４６）内に、２つから６つ、詳細には３つの外側縁部面（１４５）が配置され、これらは本体（１０）にある内側縁部面（３０）と共に内側縁部と外側縁部の対を形成するように設計されており、かつ各ケースにおいてアバットメント（１４０）にあるスロット（１４２）と好ましくは交互になるように円周方向に形成され、
アバットメントの長手方向軸に対して同軸である各々のスロット縁部（１４３）は、使用位置においてスロット縁部（１４３）が、対応するばねウェブ（２６）の、本体（１０）の長手方向軸に対して同軸であるばねウェブの根元（３６）と接触するように設計されており、
アバットメント（１４０）をベース本体（１０）に挿入する際、アバットメント（１４０）にあるスロット面（１４１）と、本体（１０）にある対応するウェブの側面（３８）が少なくとも部分的に接触するアバットメント（１４０）、ならびに
顎骨に取り入れた孔に挿入することができ、確動ロック要素セクション（２０）を含む環状凹部（１６）と、該環状凹部（１６）に対して同軸に配置された孔（１２）とを備え、保持用ねじを取り付けるためのねじ切り（１４）を歯根尖側に備える、それに対応する概ね円筒形の本体（１０）に関する。
【符号の説明】
【００８９】
１０  本体
１２  孔
１４  内側のねじ切り
１６  環状凹部
１８  ガイドセクション
２０  確動ロックセクション
２２  端部セクション
２６  ウェブ
２８  前方縁部
３０  ねじ込み要素／内側の多角形の面
３２  壁
３４  チップ縦溝
３６  ウェブの根元
３８  ウェブの側面
４０  ねじ込みベース
４２  内側のねじ切り部分を備えた孔
４４  ガイドセクション
４６  確動ロックセクション
４８  ねじ込み要素／外側の多角形の面
５０  スロット
５１  スロット縁部
５２  端部セクション
５４  支持カラー
５５  ばねウェブ
５６  ねじ込み要素／内側の多角形の面
５７  ばねウェブの根元
５８  円錐形の部分（内側）
５９  ばねウェブの側面
６０  保持用ねじ
６２  外側のねじ切り
６４  円錐形のカラー
６６  ねじ込みヘッド
６８  下部セクション
７０  上部端部セクション
７２  内側のねじ山を備えた内側の六角形
８０  ねじ込みヘッド
８２  孔
８４  ガイドセクション
８６  確動ロックセクション
８８  ねじ込み要素／外側の多角形の面
８９  スロット縁部
９０  前面
９１  スロット
９２  例えば六角形などの外側の多角形
９４  第２の保持用ねじ
９６  環状スロット
９７  スキャンボディマーキング
９８  ねじ込み本体
１００  歯根尖側のガイドセクション
１０２  確動ロックセクション
１０４  歯冠側の端部セクション
１０５  スロット
１０６  ねじ込み要素／外側の多角形の面
１０７  ばねウェブの根元
１０８  スロット縁部
１０９  指標マーキング
１１０  保持用シャフト
１１２  外側のねじ切り
１１４  カラーフランジ
１１６  アングルピースの配置場所
１１８  配置場所
１２０  閉鎖ねじ
１２２  ねじ切り
１２４  内側の六角形
１４０  アバットメント
１４１  スロット面
１４２  スロット
１４３  スロット縁部
１４４  ガイドセクション
１４５  外側の六角形の面
１４６  確動ロックセクション
１４８  端部セクション
１５０  密閉フランジ
１５２  締結ヘッド
１５４  保持用ねじ
【図１−Ａ】
2018515254.tif 000003
【図１−Ｂ】
2018515254.tif 000004
【図１−Ｃ】
2018515254.tif 000005
【図１−Ｄ】
2018515254.tif 000006
【図２】
2018515254.tif 000007
【図３】
2018515254.tif 000008
【図４】
2018515254.tif 000009
【図５】
2018515254.tif 000010
【図６】
2018515254.tif 000011
【図７】
2018515254.tif 000012
【図８】
2018515254.tif 000013
【図９−Ａ】
2018515254.tif 000014
【図９−Ｂ】
2018515254.tif 000015
【国際調査報告】
2018515254.tif 000016
2018515254.tif 000017
2018515254.tif 000018
2018515254.tif 000019
2018515254.tif 000020
2018515254.tif 000021
2018515254.tif 000022
2018515254.tif 000023
2018515254.tif 000024
2018515254.tif 000025